(57)【要約】【課題】湿り通知装置を取り付けるために適したおむつ及びおむつアセンブリーを提供する。【解決手段】湿り通知装置(10)を取り付けるために適したおむつ(7)は、本体(70)を含む。本体(70)は、内面(71)と外面(72)を含み、内面(71)から外面(72)まで延びる貫通穴(73)が形成されている。湿り通知装置(10)は、内面(71)の側に配置される水分検出器(22)及び外面(72)の側に配置される送信モジュール(23)を含む。湿り通知装置(10)は、伝送線(28)が貫通穴(73)を通り抜けて水分検出器(22)を送信モジュール(23)に電気的に接続し、水分検出器(22)がおむつ(7)を着用する使用者(8)の外尿道口の近くに配置されるように、おむつ(7)に取り付けられる。【選択図】図４
0003232616.tif 000002
【実用新案登録請求の範囲】
【請求項１】
湿り通知装置（１０）を取り付けるために適したおむつ（７）であって、該湿り通知装置は、周囲の水分を検出して該検出された周囲の水分が閾値水分レベルを超えるとき湿り通知信号を出力する水分検出器（２２）、伝送線（２８）、及び、前記水分検出器（２２）によって出力された湿り通知信号を受信するために前記水分検出器（２２）に前記伝送線（２８）を介して電気的に接続され、湿り通知信号を無線送信するように構成された送信モジュール（２３）を含み、前記伝送線（２８）は、前記水分検出器（２２）に固定されて接続される一端と、前記送信モジュール（２３）に取り外し可能に接続される他端と、を有し、
前記おむつ（７）は、
使用者（８）によって下着として着用されるために適した本体（７０）を有し、該本体（７０）は、内面（７１）と外面（７２）を含み、前記内面（７１）から前記外面（７２）まで延びる貫通穴（７３）が形成され、該貫通穴は、前記湿り通知装置（１０）が、前記水分検出器（２２）が前記内面（７１）の側に配置され、前記送信モジュール（２３）が前記外面（７２）の側に配置され、前記伝送線（２８）が前記内面（７１）から前記貫通穴（７３）を通り抜けて前記外面（７２）上に出て前記送信モジュール（２３）に接続され、前記水分検出器（２２）が前記おむつ（７）の使用者（８）の外尿道口の近くに配置されるように、前記おむつ（７）に取り付けられ得るように構成されている、ことを特徴とするおむつ（７）。
【請求項２】
前記貫通穴（７３）は、実質的に直線状に形成されている、請求項１に記載のおむつ（７）。
【請求項３】
前記貫通穴（７３）は、前記本体（７０）の前後方向（Ｃ）に実質的に平行であり、かつ実質的に直線状に形成されている、請求項１に記載のおむつ（７）。
【請求項４】
前記貫通穴（７３）は、前記本体（７０）の前後方向（Ｃ）と実質的に直交し、かつ実質的に直線状に形成されている、請求項１に記載のおむつ（７）。
【請求項５】
前記貫通穴（７３）は、実質的にＴ字形である、請求項１に記載のおむつ（７）。
【請求項６】
補強要素（７３）が前記本体（７０）に取り付けられ、該補強要素（７３）は、前記貫通穴（７３）を取り囲むことを特徴とする、請求項１に記載のおむつ（７）。
【請求項７】
前記貫通穴（７３）を通り抜けた前記伝送線（２８）を前記本体（７０）上に固定し、かつ前記貫通穴（７３）を覆うように構成された粘着テープ（７５）を含むことを特徴とする、請求項１に記載のおむつ（７）。
【請求項８】
おむつアセンブリーであって、
使用者（８）によって下着として着用されるために適した本体（７０）を含むおむつ（７）を含み、前記本体（７０）は、内面（７１）と外面（７２）を含み、前記内面（７１）から前記外面（７２）まで延びる貫通穴（７３）が形成され、
湿り通知装置（１０）を含み、該湿り通知装置は、
前記内面（７１）の側の前記おむつ（７）を着用する使用者（８）の外尿道口の近くに配置され、周囲の水分を検出して該検出された周囲の水分が閾値水分レベルを超えるとき湿り通知信号を出力するように構成された水分検出器（２２）、
前記外面（７２）の側に配置され、前記水分検出器によって出力された湿り通知信号を受信するために前記水分検出器（２２）に電気的に接続され、湿り通知信号を無線送信するように構成された送信モジュール（２３）、及び、
前記水分検出器（２２）に固定されて接続される一端と、前記送信モジュール（２３）に取り外し可能に接続される他端とを有する伝送線（２８）であって、該伝送線（２８）の他端は、前記内面（７１）から前記貫通穴（７３）を通り抜けて前記外面（７２）上に出て前記送信モジュール（２３）に接続される伝送線（２８）、を含む、ことを特徴とするおむつアセンブリー。
【請求項９】
前記貫通穴（７３）は、実質的に直線状に形成されている、請求項８に記載のおむつアセンブリー。
【請求項１０】
前記貫通穴（７３）は、前記本体（７０）の前後方向（Ｃ）に実質的に平行であり、かつ実質的に直線状に形成されている、請求項８に記載のおむつアセンブリー。
【請求項１１】
前記貫通穴（７３）は、前記本体（７０）の前後方向（Ｃ）と実質的に直交し、かつ実質的に直線状に形成されている、請求項８に記載のおむつアセンブリー。
【請求項１２】
前記貫通穴（７３）は、実質的にＴ字形である、請求項８に記載のおむつアセンブリー。
【請求項１３】
補強要素（７３）が前記本体（７０）に取り付けられ、該補強要素（７３）は、前記貫通穴（７３）を取り囲むことを特徴とする、請求項８に記載のおむつアセンブリー。
【請求項１４】
前記貫通穴（７３）を通り抜けた前記伝送線（２８）を前記本体（７０）上に固定し、かつ前記貫通穴（７３）を覆うように構成された粘着テープ（７５）を含むことを特徴とする、請求項８に記載のおむつアセンブリー。
【考案の詳細な説明】
【技術分野】
【０００１】
本開示は、おむつに関し、より詳細には、湿り通知装置を取り付けるために適したおむつに関する。
【背景技術】
【０００２】
図１に示すように、インド国特許出願第２０１６１４０１０１４３号には、湿り通知装置１及び受信ユニット１６を含む湿り通知システムが開示されている。湿り通知装置１は、再使用可能であり、尿を吸収するために使用される従来のおむつにクリップで留めるように構成されている。湿り通知装置１は、従来のおむつ１７が排尿により湿ったことを検出したとき、受信ユニット２に通知信号を送信する。
【０００３】
湿り通知装置１は、水分検出器（図示は省略する）、受信ユニット１６に無線信号を送信可能な送信モジュール１１（プロセッサ、無線送信器、電池、等々、を含む。全て図示は省略する）、伝送線１４、クリップ１３、取り付け座部１２、及び位置決め部材１５を含む。受信ユニット１６は、光信号部１６１及びスピーカ１６２を含む。
【０００４】
クリップ１３は、取り付け座部１２に挿入され、水分検出器は、取り付け座部１２に取り付けられる。送信モジュール１１は、クリップ１３に取り外し可能に固定され、伝送線１４は、送信モジュール１１を水分検出器（図示は省略する）に接続しつつ、位置決め部材１５上に延びている。水分検出器は、従来のおむつ１７の縁部を挟持するクリップ１３によって、従来のおむつ１７の内側に配置される。
【０００５】
使用者が従来のおむつ１７を着用し、排尿すると、従来のおむつ１７が湿り、水分検出器が湿りを検出して、送信モジュール１１への伝送線１４を介して通知信号を送信する。送信モジュール１１は、通知信号を受信ユニット１６に無線送信する。受信ユニット１６は、通知信号を受け取ると、通知（例えば、光信号部１６１によって出力される光、またスピーカ１６２によって出力される音声）を出力してケア提供者に知らせ、これによって、ケア提供者は、従来のおむつ１７を交換することができる。受信ユニット１６はケア提供者によって保持されるものであってもよく、または、例えば医療ステーションのような、ケア提供者が受信ユニット１６からの通知によって警告を受けることができる特定の場所に配置されるものであってもよい。
【先行技術文献】
【特許文献】
【０００６】
【特許文献１】インド国特許出願第２０１６１４０１０１４３号明細書
【考案の概要】
【考案が解決しようとする課題】
【０００７】
湿り通知装置１は、使用者の鼠径部の近くで従来のおむつ１７の縁部を挟持するクリップ１３によって従来のおむつ１７に取り付けられているため、クリップ１３及び位置決め部材１５が使用者の皮膚に直接接触し、使用者に不快感を与えるおそれがある。さらに、湿り通知システムは、湿り通知装置１が使用者の鼠径部の近くで従来のおむつ１７の縁部に取り付けることができるのみであることによって制限されている。したがって、この湿り通知装置は、少なくとも使用者の外尿道口からいくらか離れて配置され、その結果、水分検出器による検出が遅くかつ不正確になる。これらの制限は、湿り通知システムが迅速かつ正確な通知を提供するという目的を達成することを妨げるものである。
【課題を解決するための手段】
【０００８】
したがって、本開示の目的は、先行技術の欠点の少なくとも１つを軽減することができるおむつ及びおむつアセンブリーを提供することである。
【０００９】
本開示の一態様に従って、湿り通知装置を取り付けるために適したおむつが提供される。湿り通知装置は、周囲の水分を検出してその検出された周囲の水分が閾値水分レベルを超えるとき湿り通知信号を出力する水分検出器、伝送線、及び、水分検出器によって出力された湿り通知信号を受信するために、水分検出器に伝送線を介して電気的に接続され、湿り通知信号を無線送信するように構成された送信モジュールを含む。伝送線は、水分検出器に固定されて接続される一端と、送信モジュールに取り外し可能に接続される他端と、を有する。
【００１０】
おむつは、使用者によって下着として着用されるために適した本体を含む。本体は、内面と外面を含み、内面から外面まで延びる貫通穴が形成されている。貫通穴は、湿り通知装置が、水分検出器が内面の側に配置され、送信モジュールが外面の側に配置され、伝送線が内面から貫通穴を通り抜けて外面上に出て送信モジュールに接続され、水分検出器がおむつの使用者の外尿道口の近くに配置されるように、おむつに取り付けられ得るように構成されている。
【００１１】
本開示の別の態様に従って、おむつアセンブリーは、おむつ及び湿り通知装置を含む。
【００１２】
おむつは、使用者によって下着として着用されるために適した本体を含む。本体は、内面と外面を含み、内面から外面まで延びる貫通穴が形成されている。
【００１３】
湿り通知装置は、水分検出器、伝送線、及び送信モジュールを含む。水分検出器は、上記内面の側のおむつを着用する使用者の外尿道口の近くに配置される。水分検出器は、周囲の水分を検出して該検出された周囲の水分が閾値水分レベルを超えるとき湿り通知信号を出力するように構成されている。伝送線は、上記貫通穴を通り抜ける。送信モジュールは、上記外面の側に配置され、水分検出器によって出力された湿り通知信号を受信するために水分検出器に電気的に接続され、湿り通知信号を無線送信するように構成されている。伝送線は、水分検出器に固定されて接続される一端と、送信モジュールに取り外し可能に接続される他端とを有し、伝送線の他端は、上記内面から上記貫通穴を通り抜けて外面上に出て送信モジュールに接続される。
【００１４】
本開示の他の特徴及び利点は、添付図面を参照した以下の実施形態の詳細な説明において明らかとなるであろう。
【図面の簡単な説明】
【００１５】
【図１】従来のおむつに取り付けられた湿り通知装置を模式的に示す透視図である。
【図２】本開示の一実施形態に従うおむつを模式的に示す図である。
【図３】本開示の一実施形態に従う、図２のおむつに取り付けられた湿り通知装置を含むおむつアセンブリーを模式的に示す図である。
【図４】本開示の一実施形態に従う、おむつにクリップにより固定される湿り通知装置示す断面図である。
【図５】本開示の一実施形態に従うおむつを模式的に示す図である。
【図６】本開示の一実施形態に従うおむつを模式的に示す図である。
【図７】本開示の一実施形態に従うおむつを模式的に示す図である。
【図８】本開示の一実施形態に従う、図７のおむつに取り付けられた湿り通知装置を含むおむつアセンブリーを模式的に示す図である。
【図９】本開示の一実施形態に従うおむつを模式的に示す図である。
【図１０】本開示の一実施形態に従うおむつを模式的に示す図である。
【図１１】本開示の一実施形態に従うおむつアセンブリーを模式的に示す図である。
【図１２】本開示の一実施形態に従うおむつアセンブリーを模式的に示す図である。
【図１３】本開示の一実施形態に従う、おむつに固定される湿り通知装置示す断面図である。
【図１４】本開示の一実施形態に従う、カメラ装置をさらに含むおむつアセンブリーを示す断面図である。
【考案を実施するための形態】
【００１６】
本開示の詳細な説明の前に、適切と考えられる場合、参照符号または参照符号の終端部は、複数の図面の中で、対応するまたは類似の要素（任意選択で、これらは同様の特性を有する場合もある）を指示するために繰り返されていることに注意されたい。
【００１７】
図２から図４には、本開示の一実施形態に従うおむつアセンブリーが示されている。このおむつアセンブリーは、湿り通知装置１０、及び湿り通知装置１０を取り付けるために適したおむつ７を含む。おむつ７は、使用者８によって下着として着脱自在に着用され得るものである。
【００１８】
おむつアセンブリーのおむつ７は、使用者８によって下着として着用されるために適した本体７０を含む。本体７０は、内面７１及び外面７２を含む。本体７０には、内面７１から外面７２に延びる貫通穴７３が形成されている。いくつかの実施形態において、本体７２の貫通穴７３は、本体７０の前後方向（Ｃ）に対して実質的に平行な実質的に直線状の形状を有している。
【００１９】
湿り通知装置１０は、取り付けモジュール２０、サンプリングユニット５、水分検出器２２、及び受信ユニット４（例えば、スマートフォン）を含む。取り付けモジュール２０は、スリーブ体２１、スリーブ体２１と結合された取り付け座部２９、クリップ３、及び位置決め部材６を含む。取り付け座部２９は、スリーブ体２１に結合されたベース板２９１を含む。
【００２０】
クリップ３は、本体７０を挟持するために使用され、本体２１に取り外し可能にかつ部分的に挿入される第１の部分３１、第１の部分３１から湾曲して延びる第２の部分３２、及び第２の部分３２から延びる第３の部分３３を含む。クリップ３が本体７０を挟持するとき、第１の部分３１は本体７０の内面７１上に配置され、第２の部分３２は貫通穴７３を通って延び、第３の部分３３は本体７０の外面７２上に配置される。位置決め部材６は、クリップ３に係合し、伝送線２８を固定及び位置決めするために使用される。伝送線２８は、水分検出器２２に固定されて接続される一端と、送信モジュール２３に取り外し可能に接続される他端とを有している。
【００２１】
サンプリングユニット５は、取り付け座部２９内に埋め込まれており、基板５１、複数のサンプリング要素５２（例えば、図４には３つのサンプリング要素５２が示されている）、及びシリコーン製の保護スリーブ５３を含む。基板５１は、取り付け座部２９内に配置され、サンプリング要素５２とともに取り付けられた第１の部分５１１、及び第１の部分５１１から取り付け座部２９の外に延びる第２の部分５１２を有する。第２の部分５１２の先端部は、保護スリーブ５３によって覆われている。サンプリング要素５２のそれぞれは、一実施形態では尿を収集してテストする試験紙であってもよく、他の実施形態では後の分析のために使用される尿を収集するための容器であってもよい。
【００２２】
水分検出器２２は、内面７１の側に配置され、周囲の水分（すなわち、おむつ７によって囲まれた空間の水分）を検出し、検出された周囲の水分が閾値水分レベルを超える場合、湿り通知信号を出力する。詳しくは、水分検出器２２は、取り付け座部２９のベース板２９１と基板５１の第１の部分５１１の間に挟まれて、取り付け座部２９内に配置されている。サンプリング要素５２は、第１の部分５１１の水分検出器２２とは反対側の面に配置される。
【００２３】
送信モジュール２３は、外面７２の側に配置されており、水分検出器２２により出力される湿り通知信号を受信するために、伝送線２８を介して水分検出器２２と電気的に結合され、湿り通知信号を受信ユニット４に無線送信するように構成される。この実施形態において、送信モジュール２３は、クリップ３の第３の部分３３に取り外し可能に取り付けられている。いくつかの実施形態において、送信モジュール２３は、第１のプロセッサ（図示は省略する）、第１の無線送信器（図示は省略する）、及び第１の無線送信器と第１のプロセッサに電気を供給する電池（図示は省略する）を含む。第１のプロセッサは、水分検出器２２から受信された湿り通知信号を受け取り、処理し、処理された湿り通知信号を第１の無線送信器を介して受信ユニット４に無線送信する。受信ユニット４は、湿り通知信号を受信すると、受信ユニット４を所有するケア提供者におむつ７が湿っていることを知らせる湿り通知を出力するものであってもよい。
【００２４】
実際には、湿り通知装置１０は、クリップ３の第３の部分３３及び伝送線２８の他端を本体７０の内面７１から貫通穴７３を通して外面７２上に出し、クリップ３の第２の部分３２、位置決め部材６、及び伝送線２８が貫通穴７３を通り抜けることを可能にすることによって、おむつ７に取り付けられる。これによって、クリップ３の第３の部分３３とスリーブ体２１は、協働して本体７０を把持する。その後、伝送線２８の他端が送信モジュール２３に接続され、これによって、伝送線２８は、図４に示されるように、送信モジュール２３と水分検出器２２を接続する。
【００２５】
湿り通知装置１０に関する詳細は、インド国特許出願第２０１６１４０１０１４３号を参照することにより得られる。インド国特許出願第２０１６１４０１０１４３号の内容の全体は、参照により本明細書に組み込まれる。
【００２６】
図３及び図４に示されるように、本体７０の貫通穴７３は、使用者がおむつ７を着用したときにサンプリングユニット５及び水分検出器２２が使用者８の外尿道口に近い位置にあるようにして、湿り通知装置１０がおむつ７に取り付けられることを可能にするように構成される。したがって、おむつ７を着用している使用者８が排尿し、おむつ７が湿ったとき、水分検出器２２は、迅速かつ正確に湿りを検出し、湿り通知信号を送信モジュール２３に送信することができる。この際、同時にサンプリングユニット５は尿をテストする。次いで、湿り通知信号は、送信モジュール２３によって受信ユニット４に無線送信される。さらに、ケア提供者は、受信ユニット４を通じて湿り通知を受け取った後、使用者８のためにおむつ７を交換している間、おむつ７の使用者の健康状態を実時間で監視するために、サンプリング要素５２の色反応を観察し、その色反応をカラーチャートと比較することができる。
【００２７】
図２を参照すると、いくつかの実施形態において、本体７０は、おむつ７の着用者（例えば図４に示す使用者８）の下腹部を覆うための前部７０１、着用者の臀部を覆うための後部７０２、及び前部７０１と後部７０２の間に接続された中間部７０３を有している。貫通穴７０３は、中間部７０３の、後部７０２よりも前部７０１に近い位置に形成されており、これによって、着用者がおむつ７を着用したときに、サンプリングユニット５及び水分検出器２２は、着用者の外尿道口の近くに配置される。
【００２８】
図５には、おむつ７の別の実施形態が示されている。この実施形態において、おむつ７は、さらに、本体７０に取り付けられた補強要素７４を含み、この補強要素７４は、貫通穴７３を取り囲んでいる。補強要素７４によって、本体７０の貫通穴７３周りの構造強度が向上し、これによって、湿り通知装置１０（図４参照）は、おむつ７に取り付けられたときに比較的安定する。
【００２９】
他の実施形態において、貫通穴７３は、他の形をとるものであってもよい。図６に示されるように、貫通穴７３は、本体７０の前後方向（Ｃ）に実質的に平行であり、かつ実質的に直線状に形成され、本体７０の前後方向と直交する左右方向に関して中央に配置される。いくつかの実施形態では、図７及び図８に示されるように、本体７０上に形成される貫通穴７３は、本体７０の前後方向（Ｃ）に実質的に直交し、かつ実質的に直線状に形成される。
【００３０】
貫通穴７３の他の変形例もあり得る。図９及び図１０には、おむつ７の別の実施形態が示されており、この実施形態では、本体７０の貫通穴７３は実質的にＴ字形である。
【００３１】
図１１には、おむつ７のさらに別の実施形態が示されている。この実施形態において、おむつ７は、さらに、粘着テープ７５を含む。本体７０の貫通穴７３は、本体７０の前後方向（Ｃ）に実質的に平行であり、かつ実質的に直線状に形成される。粘着テープ７５は、貫通穴７３を通り抜けた伝送ケーブル２８を本体７０上に固定し、また、貫通穴７３を覆って尿が貫通穴７３を通って漏れることを防止する。
【００３２】
図１２を参照すると、おむつ７の別の実施形態も粘着テープ７５を含んでいる。この実施形態において、貫通穴７３は、本体７０の前後方向（Ｃ）に実質的に直交し、かつ実質的に直線状に形成される。粘着テープ７５は、貫通穴７３を通り抜けた伝送ケーブル２８を本体７０上に固定し、また、貫通穴７３を覆って尿が貫通穴７３を通って漏れることを防止する。
【００３３】
図１３には、おむつアセンブリーのさらに別の実施形態が示されている。この実施形態では、クリップ３、スリーブ体２１、及び位置決め部材６は、湿り通知装置１０から除外されている。粘着テープ７５は、貫通穴７３を通り抜けた伝送ケーブル２８を本体７０上に固定し、貫通穴７３を覆い、及び、それによって、貫通穴７３を覆って尿が貫通穴７３を通って漏れることを防止しながら、湿り通知装置１０を本体７０に対して固定するように構成される。
【００３４】
いくつかの実施形態において、おむつアセンブリーの湿り通知装置１０は、さらに、カメラモジュール９を含むものであってもよい。図１４には、カメラモジュール９を含むおむつアセンブリーの一実施形態が示されている。カメラモジュール９は、カメラ９０、固定要素９４、接続要素９３、及び処理ユニット９４を含む。固定要素９１は、クリップ３の第１の部分３１に固定され、接続要素９３は、固定要素９１とカメラ９０とを相互接続する。カメラ９０は、サンプリング要素５２の画像を取得するためにサンプリング要素５２と向かい合い、レンズ９２及び発光ダイオード（ＬＥＤ）ライト９５を含んでいる。ＬＥＤライト９５は、サンプリング要素５２と向かい合い、カメラ９０がサンプリング要素５２の画像を取得するときに発光するように構成される。
【００３５】
処理ユニット９４は、カメラ９０に電気的に接続され、第２のプロセッサ（図示は省略する）、第２のプロセッサに接続された第２の無線送信器（図示は省略する）、及び第２のプロセッサと第２の無線送信器に電気を供給する電池（図示は省略する）を含む。第２のプロセッサは、カメラ９０から受信したカメラ９０によって取得された画像を処理し、その画像を第２の無線送信器を介してケア提供者が保持する受信装置（例えば、スマートフォンまたは受信ユニット４）に無線送信するように構成される。
【００３６】
おむつアセンブリーがカメラモジュール９を含む場合、湿り通知装置１０は、湿り通知機能及び尿テスト機能を備えることに加えて、ケア提供者にサンプリング要素５２の画像を提供することができる。この画像は、カメラモジュール９によって取得され、ケア提供者が保持する受信装置に無線送信される。したがって、受信装置は、サンプリング要素５２の画像を表示することができる。これによって、ケア提供者は、サンプリング要素の色反応を受信装置から観察することができる。このようにして、おむつ７の着用者（図示は省略する）の健康状態を、受信装置（例えば、スマートフォン）を使用して、遠隔で監視することが可能となる。
【００３７】
さらに、スマートフォンには、ケア提供者に対してカラーチャートを提示するアプリケーションプログラムがインストールされるものであってもよい。アプリケーションプログラムは、サンプリング要素５２の色をカラーチャートと比較し、その比較結果に基づいて着用者の健康状態を分析及び判別するものであってもよい。アプリケーションプログラムは、スマートフォンのディスプレイを介してケア提供者に情報を提示するものであってもよい。これによって、ケア提供者は、アプリケーションプログラムを通じて、着用者の健康状態を監視することができる。
【００３８】
カメラモジュール９に加えて、着用者を援助する他の装置をおむつアセンブリーと組み合わせて使用することもできる。様々な実施形態において、本体７０の貫通穴７３は、伝送線２８が通り抜けることを可能にすることに加えて、尿道カテーテルまたは採尿袋の挿入体が通り抜けることも可能にするものである。すなわち、貫通穴７３は、着用者の尿を排出させる尿道カテーテルのための出口を提供するものであってもよい。おむつアセンブリーの湿り通知装置１０は、着用者の尿による湿りを検出するように意図されているものであるが、尿を要因とする湿りを検出することに限定されるものではない。湿り通知装置１０は、着用者によって排泄された便による湿りも検出し、ケア提供者は、排便に関する通知を受け取るものであってもよい。
【００３９】
さらに、本体７０の貫通穴７３によって、洗浄チューブの挿入が可能となる。これによって、ケア提供者が、着用者の尿及び／または便の予備的な洗浄を実施するために、水、消毒剤、または他の洗浄溶液を使用することが可能となる。
【００４０】
要約すると、おむつ７の本体７０の貫通穴７３によって、水分検出器２２及びサンプリングユニット５を着用者の外尿道口の近くに配置することが可能となる。これによって、着用者が排尿しておむつ７を湿らせた場合、湿り通知装置１０はその湿りを迅速に検出して、湿り通知信号を受信ユニット４（例えば、スマートフォン）に送信する。これによって、ケア提供者は、湿り通知を受け取り、スマートフォンを使用して着用者の健康状態を監視することが可能となる。
【００４１】
上記の説明において、説明を目的として、１つまたは複数の実施形態の十分な理解に供するために多くの特定の詳細が記載されている。しかしながら、これらの特定の詳細のいくつかが省略された１つまたは複数の他の実施形態を実施できることは、当業者には明らかである。本明細書を通じて、「１つの実施形態」、「一実施形態」、序数で指定される実施形態、等々への言及は、特定の特徴、構造、特性が、本開示の実施に含まれ得ることを意味する。さらに、説明において、開示を効率化し、様々な考案の太陽の理解を支援することを目的として、様々な特徴が１つの実施形態、図、及びその説明中にグループ化されている場合があるが、本発明の実施において、１つの実施形態の１つまたは複数の特徴または特定の詳細は、適切な場合、別の実施形態の１つまたは複数の特徴または特定の詳細とともに実施されるものであってもよい。
【符号の説明】
【００４２】
７  おむつ、８  使用者、１０  湿り通知装置、２２  水分検出器、２３  送信モジュール、２８  伝送線、７０  本体、７１  内面、７２  外面、７３  貫通穴
【図１】
0003232616.tif 000003
【図２】
0003232616.tif 000004
【図３】
0003232616.tif 000005
【図４】
0003232616.tif 000006
【図５】
0003232616.tif 000007
【図６】
0003232616.tif 000008
【図７】
0003232616.tif 000009
【図８】
0003232616.tif 000010
【図９】
0003232616.tif 000011
【図１０】
0003232616.tif 000012
【図１１】
0003232616.tif 000013
【図１２】
0003232616.tif 000014
【図１３】
0003232616.tif 000015
【図１４】
0003232616.tif 000016